(57)【特許請求の範囲】
【請求項１】
搬器兼基台と、支柱と、梁材とで構成し、
搬器兼基台は、座枠と背枠とをほぼ直交して配置し、かつ背枠の外側には車輪を備えて構成し、
支柱は、この搬器兼基台の背枠に取り付けた支持環に差し込んであり、
支柱の先端には、梁材が相互に回転可能に取り付けてあり、
運搬時には搬器兼基台の背枠に乗せた部材を車輪の回転で運搬し、
現地では、搬器兼基台を引き起こして座枠を地表面に設置して支柱を鉛直に立て、
支柱先端の梁材を、支柱間に張り渡して建屋フレームを構成し、
この建屋フレームに壁材、天井材を取り付けて構成した、
簡易建屋の構造。
【請求項２】
請求項１記載の壁材が、
防音パネル或いは防音シートである、
簡易建屋の構造
【発明の詳細な説明】
【技術分野】
【０００１】
本発明は、特に組み立てと解体が簡単な簡易建屋の構造に関するものである。
【背景技術】
【０００２】
短時間に組み立て、短時間の使用の後に短時間で解体ができる簡易な建屋が必要とされる場合がある。
例えばコンクリートミキサー車やポンプ車の発生する騒音は、特に住宅街では苦情が寄せられる可能性が高い。
そのために、エアホースを立ち上げて囲った防音ドーム（特許文献１）や、防音テント（特許文献２）が提案されている。
【先行技術文献】
【特許文献】
【０００３】
【特許文献１】特開２００８−１９６２１６号公報。
【特許文献２】実用新案登録第３０８８５６２号公報。
【発明の概要】
【発明が解決しようとする課題】
【０００４】
前記した従来の簡易建屋の構造にあっては、次のような問題点がある。
＜１＞  ポンプ車の設置位置は、工事の進捗によって頻繁に変更するものであり、そのたびごとに防音建屋の移動が必要になる。しかし上記したような特許文献記載の構造では、構造が複雑であって簡単に解体、組み立てができない。
＜２＞  防音建屋を構成する部材が多く、その結果、次の位置への運搬、組み立てに手数と時間がかかる。
【課題を解決するための手段】
【０００５】
上記のような課題を解決するために、本発明の簡易建屋の構造は、搬器兼基台と、支柱と、梁材とで構成し、搬器兼基台は、座枠と背枠とをほぼ直交して配置し、かつ背枠の外側には車輪を備えて構成し、支柱は、この搬器兼基台の背枠に取り付けた支持環に差し込んであり、支柱の先端には、梁材が相互に回転可能に取り付けてあり、運搬時には搬器兼基台の背枠に乗せた部材を車輪の回転で運搬し、現地では、搬器兼基台を引き起こして座枠を地表面に設置して支柱を鉛直に立て、支柱先端の梁材を、支柱間に張り渡して建屋フレームを構成し、この建屋フレームに壁材、天井材を取り付けて構成した簡易建屋の構造である。
その場合に、建屋フレームに取り付ける壁材として防音パネル或いは防音シートを採用することができる。
【発明の効果】
【０００６】
本発明の簡易建屋の構造は以上説明したようになるから次のような効果を得ることができる。
＜１＞  構造体は少数の簡易な部材で構成しており、分割が容易である。
＜２＞  また構成する部材が市販品であって軽量であるために経済的であり、かつ人力による運搬も簡単である。
＜３＞  建屋の基礎として支柱を支持する搬器兼基台が、部材を運搬する運搬具も兼ねているので、少人数で運搬、組み立てを迅速に行うことができる。
＜４＞  搬器兼基台と支柱とは、固定環で一体化しており、かつ支柱には梁が回転自在に取り付けてある。そのために運搬に使用した搬器兼基台を現地で引き起こすだけで、建屋の基礎の設置がほぼ完成する、といったきわめて迅速な組み立てを行うことができる。
＜５＞  組み立て後の枠組みに、防音材のパネルを取り付け、屋根部に防音材のシートを張り渡せば、簡単に防音建屋を形成することができる。
【図面の簡単な説明】
【０００７】
【図１】本発明の簡易建屋に使用する搬器兼基台の実施例の説明図。
【図２】支柱と梁材の説明図。
【図３】搬器兼基台を使用して部材を運搬している状態の説明図。
【図４】建屋フレームを組み立てた状態の説明図。
【図５】壁材を取り付けている状態の説明図。
【図６】搬器兼基台での運搬状態と組み立て状態の説明図。
【発明を実施するための形態】
【０００８】
以下図面を参照にしながら本発明の好適な実施の形態を詳細に説明する。
【実施例】
【０００９】
＜１＞全体の構成。
本発明の簡易建屋は、搬器兼基台１と、支柱２と、梁材３とパネルなどで構成する。
【００１０】
＜２＞搬器兼基台。
搬器兼基台１は、車輪１１付きの台車である。
台車の部材設置部分は、座枠１２と背枠１３とをほぼ直交する状態に配置して構成する。
座枠１２も、背枠１３も、板体あるいは枠組みで構成することができる。
そして、背枠１３の外側、すなわち座枠１２とは反対側には車輪１１を回転自在に取り付ける。
背枠１３には、さらに支柱２を貫通させて支持するための支持環１４を取り付ける。
搬器兼基台１をこのように構成したから、搬器兼基台１の車輪１１が地表面に接触する姿勢に倒せば、背枠１３の上に載置した資材を運搬する運搬装置として利用することができる。
一方、搬器兼基台１の座枠１２が地表面に接触する姿勢に引き起こせば、建屋を組み立てる際の支柱２を支持する安定した基礎の台として利用することができる。
【００１１】
＜３＞支柱と梁材。
支柱２は、市販の足場パイプなどを利用できる。
この支柱２の先端近くには、回転自在のクランプを介して、梁材３をとりつける。
この梁材３も、市販のパイプを利用できる。
支柱２を、搬器兼基台１の背枠１３に取り付けた、上下複数の支持環１４に差し込んで配置する。
すると、支柱２の一部あるいは梁材３の一部は、背枠１３より突出しているから、搬器兼基台１で資材を運搬する際のハンドルとして利用できる。（図３）
【００１２】
＜４＞建屋の組み立て方法。
次に、上記の部材を使用した建屋の組み立て方法を説明する。
【００１３】
＜５＞部材の運搬。
本発明の建屋を構成する部材は、上記したようにきわめて少数である。
これらの部材を搬器兼基台１によって現地まで運搬する。
すなわち、運搬時には搬器兼基台１の車輪１１が地表面に接触する姿勢にまで搬器兼基台１を倒す。
すると背枠１３がほぼ水平面になるから、その背枠１３の上に部材を乗せ、車輪１１の回転によって運搬する。
この運搬の際に、搬器兼基台１には支柱２などが支持環１４に貫通して配置してあり、これが背枠１３や、搬送する部材から突出しているから、この支柱２の先端、あるいは支柱２の先端に回転自在に取り付けた梁材３の先端をハンドルとしてこれを持って運搬することができる。
建屋の壁面を構成する壁材として、後述する折りたたみ自在の防音パネルや防音シートを使用する場合には、それらを同時に運搬することができる。
【００１４】
＜６＞基台の設置。
現地まで運搬したら、搬器兼基台１を引き起こす。
そして座枠１２を地表面に設置させる。
すると、背枠１３に取り付けた支柱２は、鉛直に立ちあがることになる。
ひとつの建屋で最小４基の搬器兼基台１を設置し、４本の支柱２を建屋の隅部に設立する。
【００１５】
＜７＞建屋フレームの組み立て。
支柱２先端の梁材３を、クランプ部分で支柱２に対して９０度になるように回転する。
そして梁材３の先端を、隣接する支柱２にかけ渡し、クランプによって固定する。
その場合には、梁材３は一方の支柱２にだけ回転自在に取り付けてあれよい。
こうして、２基の搬器兼基台１によって、１組の門型の建屋フレーム４を構成することができる。
【００１６】
＜８＞フレーム間の接続。
少なくとも４基の搬器兼基台１を隅部に立てて、２組の建屋フレーム４を対向させて設置する。
そして、建屋フレームの支柱２間、さらには梁材３の間を、引っ張り材５で接続する。
引っ張り材５として例えば先端を直角に折り曲げた鉄筋を使用し、先端の折り曲げ部を、支柱２のパイプに挿入する、といった簡単な方法で接続することができる。
梁材３の中間にも短パイプを固定しておけば、支柱２間だけではなく、梁材３間も引っ張り材５で接続することができる。
【００１７】
＜９＞壁材などの取り付け。
梁材３、引っ張り材に、壁材６、あるいは天井材を取り付ける。
この壁材６、あるいは天井材として、たとえば自立性の高い材料で構成した折りたたみ自在の防音パネル、あるいは防音シートを使用すれば、簡単に防音室を構築することができる。
ここで自立性の高い壁材６とは、硬質の板状の面部材だけでなく、たとえば発泡ポリプロピレンやグラスウールなどを芯材として、その外周をビニルシートやゴムシートのような軟質シートで包んだような、多少柔軟性のある壁材を含む意味である。
こうしたパネルやシートは、市販の高性能な物の中から選択して採用することができ、パネル間、シート間の接合は、面状のファスナーや紐などを使用して連結する。
【符号の説明】
【００１８】
１：搬器兼基台
１２：座枠
１３：背枠
２：支柱
３：梁材
４：建屋フレーム
６：壁材
【図１】
0005453044.tif 000002
【図２】
0005453044.tif 000003
【図３】
0005453044.tif 000004
【図４】
0005453044.tif 000005
【図５】
0005453044.tif 000006
【図６】
0005453044.tif 000007